(57)【要約】【課題】潮流監視用の電流センサの取付状態を適切に判定すると共に分散型電源からの電力を受電設備側に適切に供給することが可能な分散型電源システムを提供する。【解決手段】分散型電源システムは、分岐ブレーカの二次側に接続され、電力系統の２つの電圧線に取り付けられる第１および第２電流センサと、その分岐ブレーカの一次側に取り付けられる第３電流センサとを備える。そして、補機の駆動により２つの電流センサに電流変動が検出された場合、その電流偏差が所定値以上のときには、電流が大きい方が第１電流センサと判定すると共に電流が小さい方が第３電流センサと判定する。更に検出された電流が連系電圧と逆位相であるときには以降に検出される電流の位相を反転させる。また、残りの１つの電流センサが第２電流センサであると判定する。更に電流が検出され且つその電流が連系電圧と同位相であるときには以降に検出される電流の位相を反転させる。【選択図】図２
2020162342.tif 000002
【特許請求の範囲】
【請求項１】
単相３線式の電力系統が接続された主幹ブレーカと、該主幹ブレーカのＵ相，Ｖ相およびＮ相の二次側端子のうちいずれか２つに接続された複数の分岐ブレーカと、を備える受電設備における前記分岐ブレーカの二次側の電気経路に連系される分散型電源システムであって、
分散型電源と、
前記主幹ブレーカの前記Ｕ相および前記Ｖ相のうち一方の相の二次側端子と前記Ｎ相の二次側端子とに接続された特定の分岐ブレーカである特定分岐ブレーカの二次側の電気経路に出力端子が接続され、前記分散型電源からの電力を変換して出力する電力変換装置と、
該電力変換装置の出力線間に接続された補機と、
前記主幹ブレーカの前記Ｕ相および前記Ｖ相のうち前記分散型電源が接続されている前記一方の相に流れる電流を検出する第１電流センサと、前記主幹ブレーカの前記Ｕ相および前記Ｖ相のうち前記分散型電源が接続されていない他方の相に流れる電流を検出する第２電流センサと、前記特定分岐ブレーカに流れる電流を検出する第３電流センサのいずれかとして機能するように取り付けられる３つの電流センサと、
前記電力変換装置の出力線間に取り付けられる電圧センサと、
前記電力変換装置と前記補機とを駆動制御する制御装置と、
を備え、
前記制御装置は、前記補機を駆動制御した状態で前記３つの電流センサのうち２つの電流センサに前記補機の電力消費に応じた電流変動が検出された場合、前記２つの電流センサによりそれぞれ検出された電流値の偏差が所定値以上のときには前記電流値が大きい方の電流センサが前記第１電流センサであると判定すると共に前記電流値が小さい方の電流センサが前記第３電流センサであると判定し、前記第１電流センサまたは前記第２電流センサにより検出された電流が前記電圧センサにより検出された電圧と逆位相であるときには更に該当する電流センサにより以降に検出される電流の位相を反転させ、前記３つの電流センサのうち残りの１つの電流センサが前記第２電流センサであると判定し、前記第２電流センサにより電流が検出され且つ該検出された電流が前記電圧センサにより検出された電圧と同位相であるときには更に前記第２電流センサにより以降に検出される電流の位相を反転させ、前記第１電流センサと前記第２電流センサとによりそれぞれ検出される電流との和の電流が前記電力系統への逆潮流が発生しない範囲内となるように且つ前記第３電流センサにより検出される電流と前記電力変換装置から出力される電流との和の電流が所定の上限電流を超えないように給電制御を行なう
分散型電源システム。
【請求項２】
請求項１に記載の分散型電源システムであって、
前記制御装置は、前記残りの１つの電流センサが前記第２電流センサであると判定した際に前記第２電流センサにより電流が検出されなかったときには、前記第２電流センサにより電流が検出されるまでの間、前記第１電流センサにより検出される電流が前記電力系統への逆潮流が発生しない範囲内となるように且つ前記第３電流センサにより検出される電流と前記電力変換装置から出力される電流との和の電流が前記上限電流を超えないように給電制御を行なう
分散型電源システム。
【請求項３】
請求項１または２に記載の分散型電源システムであって、
前記制御装置は、前記補機を駆動制御した状態で前記３つの電流センサのうち２つの電流センサに前記補機の電力消費に応じた電流変動が検出された場合、前記２つの電流センサによりそれぞれ検出された電流値の偏差が前記所定値未満のときには、前記３つの電流センサのうち残りの１つの電流センサが前記第２電流センサであると判定し、前記第２電流センサにより電流が検出され且つ該検出された電流が前記電圧センサにより検出された電圧と同位相であるときには更に前記第２電流センサにより以降に検出される電流の位相を反転させ、前記２つの電流センサのうち一方の電流センサと前記第２電流センサとによりそれぞれ検出される電流の和が前記電力系統への逆潮流が発生しない範囲内となるように且つ前記２つの電流センサのうち他方の電流センサにより検出される電流と前記電力変換装置から出力される電流との和の電流が前記上限電流を超えないように給電制御を行なう
分散型電源システム。
【請求項４】
請求項３に記載の分散型電源システムであって、
前記制御装置は、前記残りの１つの電流センサが前記第２電流センサであると判定した際に前記第２電流センサにより電流が検出されなかったときには、前記第２電流センサにより電流が検出されるまでの間、前記２つの電流センサのうち一方の電流センサにより検出される電流が前記電力系統への逆潮流が発生しない範囲内となるように且つ前記２つの電流センサのうち他方の電流センサにより検出される電流と前記電力変換装置から出力される電流との和の電流が前記上限電流を超えないように給電制御を行なう、
分散型電源システム。
【請求項５】
請求項１ないし４いずれか１項に記載の分散型電源システムであって、
前記制御装置は、前記補機を駆動制御した状態で前記３つの電流センサのうち２つの電流センサに前記補機の電力消費に応じた電流変動が生じなかった場合には、エラーを出力する、
分散型電源システム。
【請求項６】
単相３線式の電力系統が接続された主幹ブレーカと、該主幹ブレーカのＵ相，Ｖ相およびＮ相の二次側端子のうちいずれか２つに接続された複数の分岐ブレーカと、を備える受電設備における前記分岐ブレーカの二次側の電気経路に連系される分散型電源システムであって、
分散型電源と、
前記主幹ブレーカの前記Ｕ相および前記Ｖ相のうち一方の相の二次側端子と前記Ｎ相の二次側端子とに接続された特定の分岐ブレーカである特定分岐ブレーカの二次側の電気経路に出力端子が接続され、前記分散型電源からの電力を変換して出力する電力変換装置と、
前記主幹ブレーカの前記Ｕ相および前記Ｖ相のうち前記分散型電源が接続されている前記一方の相に流れる電流を検出する第１電流センサと、
前記主幹ブレーカの前記Ｕ相および前記Ｖ相のうち前記分散型電源が接続されていない他方の相に流れる電流を検出する第２電流センサと、
前記特定分岐ブレーカに流れる電流を検出する第３電流センサと、
前記第１電流センサと前記第２電流センサとによりそれぞれ検出される電流との和の電流が前記電力系統への逆潮流が発生しない範囲内となるように且つ前記第３電流センサにより検出される電流と前記電力変換装置から出力される電流との和の電流が所定の上限電流を超えないように給電制御を行なう制御装置と、
を備える分散型電源システム。
【発明の詳細な説明】
【技術分野】
【０００１】
本発明は、受電設備における分岐ブレーカの二次側の電気経路に連系される分散型電源システムに関する。
【背景技術】
【０００２】
従来、この種の分散型電源システムとしては、単相３線式の電力系統の３つの電線であるＵ相（電圧線），Ｖ相（電圧線）およびＮ相（中性線）に連系するインバータ回路を備えるものにおいて、連系点よりも電力系統側に取り付けられる２つの電流センサの取付状態を判定するものが提案されている（例えば、特許文献１参照）。このシステムは、Ｕ相−Ｎ相間の電圧とＶ相−Ｎ相間の電圧を検出する電圧検出器や、ヒータなどの内部電力負荷、内部電力負荷の電力系統への接続をＵ相−Ｎ相間とＶ相−Ｎ相間とに切り替える接続機構（スイッチ）などを備える。そして、接続機構により内部電力負荷をＵ相−Ｎ相間またはＶ相−Ｎ相間に接続したときに２つの電流センサによりそれぞれ検出される電流の変化量に基づいて、２つの電流センサの取付位置と取付方向とを判定している。
【先行技術文献】
【特許文献】
【０００３】
【特許文献１】特許第５１３４１４５号
【発明の概要】
【発明が解決しようとする課題】
【０００４】
分散型電源システムを単相３線式の電力系統の３つの電線（Ｕ相，Ｖ相およびＮ相）に連系する場合、潮流監視のための電圧線であるＵ相，Ｖ相にそれぞれ電流センサを連系点よりも電力系統側に取り付けると共に、単相３線を分散型電源システムに引き込み、システム内でＵ相−Ｎ相間の電圧とＶ相−Ｎ相間の電圧とをそれぞれ検出し、検出した電流および電圧から電力を演算して潮流方向を判断していた。このため、分散型電源システムが屋外設置の場合、システムに単相３線を引き込むために設置宅の壁に穴を空けて専用配線を貫通させる等の工事が必要となり、施工費が高くなるという問題があった。そこで、屋外コンセントを利用し、単相３線のうち２つの電圧線（Ｕ相，Ｖ相）のいずれかと中性線（Ｎ相）とに分散型電源システムを連系する方式が提案されている。この方式では、分散型電源システムが連系していない電圧線を引き込んでいないため、引き込んでいない電圧線に内部負荷を接続することができない。このため、単相３線のうち２つの電圧線のいずれかと中性線とに分散型電源システムを連系する方式では、特許文献１記載の手法によって、電流センサの取付位置や取付方向を判定することができない。また、この方式では、分散型電源システムが連系している電線がＵ相−Ｎ相間か、Ｖ相−Ｎ相間かを認識できないだけでなく、連系している電線（２つの電圧線のいずれかと中性線）が分散型電源システム（インバータの両出力端子）に対して正接続か逆接続かも判断できないため、こうした状況でも、電流センサの取付位置や取付方向を適切に判定できるようにする必要がある。
【０００５】
また、単相３線式の電力系統が接続された主幹ブレーカと、主幹ブレーカのＵ相，Ｖ相およびＮ相の二次側端子のうちいずれか２つに接続された複数の分岐ブレーカと、を備える受電設備において、複数の分岐ブレーカのうち特定の１つの分岐ブレーカ（特定分岐ブレーカ）の二次側の電線に分散型電源システムを連系する場合、特定分岐ブレーカの二次側の電線には、特定分岐ブレーカを流れる電流に分散型電源システムから出力される電流が加算された電流が流れるため、特定分岐ブレーカに定められる上限電流を超える電流が流れてしまう場合がある。
【０００６】
本発明の分散型電源システムは、単相３線式の電力系統が接続された主幹ブレーカと、主幹ブレーカのＵ相，Ｖ相およびＮ相の二次側端子のうちいずれか２つに接続された複数の分岐ブレーカと、を備える受電設備の特定分岐ブレーカの二次側の電気経路に分散型電源システムを連系するものにおいて、潮流監視用の電流センサの取付状態を適切に判定すると共に、分散型電源からの電力を受電設備側に適切に供給することが可能な分散型電源システムを提供することを主目的とする。
【課題を解決するための手段】
【０００７】
本発明の分散型電源システムは、上述の主目的を達成するために以下の手段を採った。
【０００８】
本発明の第１の分散型電源システムは、
単相３線式の電力系統が接続された主幹ブレーカと、該主幹ブレーカのＵ相，Ｖ相およびＮ相の二次側端子のうちいずれか２つに接続された複数の分岐ブレーカと、を備える受電設備における前記分岐ブレーカの二次側の電気経路に連系される分散型電源システムであって、
分散型電源と、
前記主幹ブレーカの前記Ｕ相および前記Ｖ相のうち一方の相の二次側端子と前記Ｎ相の二次側端子とに接続された特定の分岐ブレーカである特定分岐ブレーカの二次側の電気経路に出力端子が接続され、前記分散型電源からの電力を変換して出力する電力変換装置と、
該電力変換装置の出力線間に接続された補機と、
前記主幹ブレーカの前記Ｕ相および前記Ｖ相のうち前記分散型電源が接続されている前記一方の相に流れる電流を検出する第１電流センサと、前記主幹ブレーカの前記Ｕ相および前記Ｖ相のうち前記分散型電源が接続されていない他方の相に流れる電流を検出する第２電流センサと、前記特定分岐ブレーカに流れる電流を検出する第３電流センサのいずれかとして機能するように取り付けられる３つの電流センサと、
前記電力変換装置の出力線間に取り付けられる電圧センサと、
前記電力変換装置と前記補機とを駆動制御する制御装置と、
を備え、
前記制御装置は、前記補機を駆動制御した状態で前記３つの電流センサのうち２つの電流センサに前記補機の電力消費に応じた電流変動が検出された場合、前記２つの電流センサによりそれぞれ検出された電流値の偏差が所定値以上のときには前記電流値が大きい方の電流センサが前記第１電流センサであると判定すると共に前記電流値が小さい方の電流センサが前記第３電流センサであると判定し、前記第１電流センサまたは前記第２電流センサにより検出された電流が前記電圧センサにより検出された電圧と逆位相であるときには更に該当する電流センサにより以降に検出される電流の位相を反転させ、前記３つの電流センサのうち残りの１つの電流センサが前記第２電流センサであると判定し、前記第２電流センサにより電流が検出され且つ該検出された電流が前記電圧センサにより検出された電圧と同位相であるときには更に前記第２電流センサにより以降に検出される電流の位相を反転させ、前記第１電流センサと前記第２電流センサとによりそれぞれ検出される電流との和の電流が前記電力系統への逆潮流が発生しない範囲内となるように且つ前記第３電流センサにより検出される電流と前記電力変換装置から出力される電流との和の電流が所定の上限電流を超えないように給電制御を行なう
ことを要旨とする。
【０００９】
この本発明の第１の分散型電源システムでは、主幹ブレーカのＵ相およびＶ相のうち分散型電源が接続されている一方の相に流れる電流を検出する第１電流センサと、主幹ブレーカのＵ相およびＶ相のうち分散型電源が接続されていない他方の相に流れる電流を検出する第２電流センサと、特定分岐ブレーカに流れる電流を検出する第３電流センサのいずれかとして機能するように取り付けられる３つの電流センサを備える。そして、補機を駆動制御した状態で３つの電流センサのうち２つの電流センサに補機の電力消費に応じた電流変動が検出された場合、２つの電流センサによりそれぞれ検出された電流値の偏差が所定値以上のときには電流値が大きい方の電流センサが第１電流センサであると判定すると共に電流値が小さい方の電流センサが第３電流センサであると判定する。更に、第１電流センサまたは第２電流センサにより検出された電流が電圧センサにより検出された電圧と逆位相であるときには該当する電流センサにより以降に検出される電流の位相を反転させる。また、３つの電流センサのうち残りの１つの電流センサが第２電流センサであると判定し、更に第２電流センサにより電流が検出され且つその検出された電流が電圧センサにより検出された電圧と同位相であるときには第２電流センサにより以降に検出される電流の位相を反転させる。そして、第１電流センサと第２電流センサとによりそれぞれ検出される電流との和の電流が電力系統への逆潮流が発生しない範囲内となるように且つ第３電流センサにより検出される電流と電力変換装置から出力される電流との和の電流が所定の上限電流を超えないように給電制御を行なう。これにより、３つの電流センサの取付状態（取付位置および取付方向）を適切に判定して分散型電源からの給電を適切に行なうことができる分散型電源システムとすることができる。
【００１０】
こうした本発明の第１の分散型電源システムにおいて、前記制御装置は、前記残りの１つの電流センサが前記第２電流センサであると判定した際に前記第２電流センサにより電流が検出されなかったときには、前記第２電流センサにより電流が検出されるまでの間、前記第１電流センサにより検出される電流が前記電力系統への逆潮流が発生しない範囲内となるように且つ前記第３電流センサにより検出される電流と前記電力変換装置から出力される電流との和の電流が前記上限電流を超えないように給電制御を行なうものとしてもよい。こうすれば、第２電流センサの取付方向を判定できない状況においても、分散型電源システムを稼働しつつ、電力系統への逆潮流を防止すると共に特定分岐ブレーカの二次側に上限電流を超える電流が流れるのを防止することができる。
【００１１】
また、本発明の第１の分散型電源システムにおいて、前記制御装置は、前記補機を駆動制御した状態で前記３つの電流センサのうち２つの電流センサに前記補機の電力消費に応じた電流変動が検出された場合、前記２つの電流センサによりそれぞれ検出された電流値の偏差が前記所定値未満のときには、前記３つの電流センサのうち残りの１つの電流センサが前記第２電流センサであると判定し、前記第２電流センサにより電流が検出され且つ該検出された電流が前記電圧センサにより検出された電圧と同位相であるときには更に前記第２電流センサにより以降に検出される電流の位相を反転させ、前記２つの電流センサのうち一方の電流センサと前記第２電流センサとによりそれぞれ検出される電流の和が前記電力系統への逆潮流が発生しない範囲内となるように且つ前記２つの電流センサのうち他方の電流センサにより検出される電流と前記電力変換装置から出力される電流との和の電流が前記上限電流を超えないように給電制御を行なうものとしてもよい。こうすれば、２つの電流センサが第１電流センサであるか第３電流センサであるかを区別することができない状況においても、分散型電源システムを稼働しつつ、電力系統への逆潮流を防止すると共に特定分岐ブレーカの二次側に上限電流を超える電流が流れるのを防止することができる。
【００１２】
この態様の本発明の第１の分散型電源システムにおいて、前記制御装置は、前記残りの１つの電流センサが前記第２電流センサであると判定した際に前記第２電流センサにより電流が検出されなかったときには、前記第２電流センサにより電流が検出されるまでの間、前記２つの電流センサのうち一方の電流センサにより検出される電流が前記電力系統への逆潮流が発生しない範囲内となるように且つ前記２つの電流センサのうち他方の電流センサにより検出される電流と前記電力変換装置から出力される電流との和の電流が前記上限電流を超えないように給電制御を行なうものとしてもよい。こうすれば、第２電流センサの取付方向を判定できない状況においても、分散型電源システムを稼働しつつ、電力系統への逆潮流を防止すると共に特定分岐ブレーカの二次側に上限電流を超える電流が流れるのを防止することができる。
【００１３】
さらに、本発明の第１の分散型電源システムにおいて、前記制御装置は、前記補機を駆動制御した状態で前記３つの電流センサのうち２つの電流センサに前記補機の電力消費に応じた電流変動が生じなかった場合には、エラーを出力するものとしてもよい。これは、２つの電流センサのいずれかがＮ相に取り付けられているか故障していると判断できることに基づく。
【００１４】
本発明の第２の分散型電源システムは、
単相３線式の電力系統が接続された主幹ブレーカと、該主幹ブレーカのＵ相，Ｖ相およびＮ相の二次側端子のうちいずれか２つに接続された複数の分岐ブレーカと、を備える受電設備における前記分岐ブレーカの二次側の電気経路に連系される分散型電源システムであって、
分散型電源と、
前記主幹ブレーカの前記Ｕ相および前記Ｖ相のうち一方の相の二次側端子と前記Ｎ相の二次側端子とに接続された特定の分岐ブレーカである特定分岐ブレーカの二次側の電気経路に出力端子が接続され、前記分散型電源からの電力を変換して出力する電力変換装置と、
前記主幹ブレーカの前記Ｕ相および前記Ｖ相のうち前記分散型電源が接続されている前記一方の相に流れる電流を検出する第１電流センサと、
前記主幹ブレーカの前記Ｕ相および前記Ｖ相のうち前記分散型電源が接続されていない他方の相に流れる電流を検出する第２電流センサと、
前記特定分岐ブレーカに流れる電流を検出する第３電流センサと、
前記第１電流センサと前記第２電流センサとによりそれぞれ検出される電流との和の電流が前記電力系統への逆潮流が発生しない範囲内となるように且つ前記第３電流センサにより検出される電流と前記電力変換装置から出力される電流との和の電流が所定の上限電流を超えないように給電制御を行なう制御装置と、
を備えることを要旨とする。
【００１５】
この本発明の第２の分散型電源システムでは、主幹ブレーカのＵ相およびＶ相のうち分散型電源が接続されている一方の相に流れる電流を検出する第１電流センサと、主幹ブレーカのＵ相およびＶ相のうち分散型電源が接続されていない他方の相に流れる電流を検出する第２電流センサと、特定分岐ブレーカに流れる電流を検出する第３電流センサと、を備える。そして、第１電流センサと第２電流センサとによりそれぞれ検出される電流との和の電流が電力系統への逆潮流が発生しない範囲内となるように且つ第３電流センサにより検出される電流と電力変換装置から出力される電流との和の電流が所定の上限電流を超えないように給電制御を行なう。これにより、単相３線式の電力系統が接続された主幹ブレーカと、主幹ブレーカのＵ相，Ｖ相およびＮ相の二次側端子のうちいずれか２つに接続された複数の分岐ブレーカと、を備える受電設備の特定分岐ブレーカの二次側の電気経路に連系するものにおいて、分散型電源からの給電を適切に行なうことができる分散型電源システムとすることができる。
【図面の簡単な説明】
【００１６】
【図１】本発明の一実施形態としての分散型電源システム２０の構成の概略を示す構成図である。
【図２】制御装置４０により実行されるＣＴ補正処理の一例を示すフローチャートである。
【図３】制御装置４０により実行されるＣＴ補正処理の一例を示すフローチャートである。
【発明を実施するための形態】
【００１７】
本発明を実施するための形態について図面を参照しながら説明する。
【００１８】
図１は、本発明の一実施形態としての分散型電源システム２０の構成の概略を示す構成図である。実施形態の分散型電源システム２０は、単相３線式の商用電力系統１の２つの電圧線であるＵ相２ｕおよびＶ相２ｖのうち一方の相と中性線であるＮ相２ｎとに連系されるものであり、商用電力系統１に対する逆潮流が許容されていないシステムとして構成されている。
【００１９】
実施形態の分散型電源システム２０は、住宅等の受電設備１０に接続される。受電設備１０は、一次側が商用電力系統１のＵ相２ｕ，Ｖ相２ｖおよびＮ相２ｎに接続される主幹ブレーカ１１と、主幹ブレーカ１１の二次側のＵ相１２ｕ，Ｎ相１２ｎおよびＮ相１２ｎのうちいずれか２つの相の電線に接続される複数の分岐ブレーカ１４Ａ〜１４Ｃ（子ブレーカ）と、を備える。各分岐ブレーカ１４Ａ〜１４Ｃの二次側の電線１５Ａ〜１５Ｃにはそれぞれ負荷（家庭負荷Ａ〜Ｃ）が接続される。また、分岐ブレーカ１４Ｃの二次側の電線１５Ｃには、屋外コンセント１６につながる配線１７が接続されている。
【００２０】
実施形態の分散型電源システム２０は、図１に示すように、屋外に設置され、直流電力を供給する分散型電源２２と、分散型電源２２からの直流電力を交流電力に変換するインバータ回路２４と、インバータ回路２４の出力端子と給電コネクタ２８とを接続する電力ライン２５に設けられた解列リレー２６と、分散型電源２２の補機３２と、電力ライン２５の解列リレー２６と給電コネクタ２８との間に接続され電力ライン２５の電力を用いて補機３２を駆動する補機用駆動装置３４と、第１〜第３電流センサＣＴ１〜ＣＴ３と、電圧センサ４４と、を備える。
【００２１】
分散型電源システム２０は、給電コネクタ２８を屋外コンセント１６に接続することにより、受電設備１０に接続される。本実施形態では、分散型電源システム２０は、図１に示すように、主幹ブレーカ１１の二次側のＵ相１２ｕとＮ相１２ｎとに接続された分岐ブレーカ１４Ｃ（特定分岐ブレーカ）の二次側の電線１５Ｃに屋外コンセント１６を介して接続される。分散型電源システムを単相３線式の商用電力系統１の３つの相に連系する場合、屋外に設置された分散型電源システムを屋内の受電設備１０に接続するために、設置宅の屋外へ単相３線を引き込むための工事が必要となる。これに対して、本実施形態の分散型電源システム２０では、単相３線のうちの２つの相に連系するから、既設の屋外コンセント１６を利用して分散型電源システム２０を受電設備１０に接続することができ、設置が容易となるメリットがある。
【００２２】
分散型電源２２としては、例えば、燃料ガスと酸化剤ガスとの供給を受けて水素と酸素との化学反応により発電する燃料電池や、原動機（ガスエンジンやガスタービンなど）からの動力により発電する原動機付き発電機、蓄電池などを挙げることができる。
【００２３】
インバータ回路２４は、分散型電源２２からの直流電力を交流電力に変換して商用電力系統１の２つの相に連系する単相２線式出力のインバータとして構成される。インバータ回路２４の出力線である電力ライン２５の解列リレー２６と給電コネクタ２８との間のライン間には、電圧センサ４４が取り付けられている。
【００２４】
分散型電源システム２０では、上述したように給電コネクタ２８を既設の屋外コンセント１６に接続することにより、単相３線式の商用電力系統１の３つの相のうちの２つの相に連系される。図１では、インバータ回路２４の一方の出力端子がＵ相１２ｕに接続され、インバータ回路２４の他方の出力端子がＮ相１２ｎに接続される例を示している。しかし、実際には、インバータ回路２４の一方の出力端子がＮ相１２ｎに接続されると共にインバータ回路２４の他方の出力端子がＵ相１２ｕに接続される場合や、インバータ回路２４の一方の出力端子がＶ相１２ｖに接続されると共にインバータ回路２４の他方の出力端子がＮ相１２ｎに接続される場合、インバータ回路２４の一方の出力端子がＮ相１２ｎに接続されると共にインバータ回路２４の他方の出力端子がＶ相１２ｖに接続される場合がある。すなわち、既設の屋外コンセント１６を利用して分散型電源システム２０を屋内の受電設備１０に接続する場合、分散型電源システム２０が接続されている電線がＵ相−Ｎ相間であるか、Ｖ相−Ｎ相間かを認識することはできず、接続している電線が分散型電源システム２０（インバータ回路２４の２つの出力端子）に対して正接続か逆接続かも認識することはできない。
【００２５】
補機３２は、分散型電源２２の周辺機器であり、例えば、分散型電源システム２０が燃料電池とその排熱を用いて貯湯する貯湯装置とを備えるコージェネレーションシステムに適用される場合、燃料電池に燃料ガスを供給するポンプや酸化剤ガスとしての空気を供給するブロワ、燃料ガスの流量を検出する流量センサ、空気の流量を検出する流量センサ、貯湯装置の貯湯水を燃料電池の排熱と熱交換するために貯湯水を循環させるポンプ、貯湯装置の配管内の凍結を予防するための凍結予防ヒータ等を挙げることができる。
【００２６】
第１電流センサＣＴ１および第２電流センサＣＴ２は、商用電力系統１のＵ相１２ｕおよびＶ相１２ｖに取り付けられる潮流監視用のセンサである。第３電流センサＣＴ３は、分散型電源システム２０が接続される分岐ブレーカ１４Ｃを流れる電流を監視する電流監視用のセンサであり、主幹ブレーカ１１の二次側のＵ相１２ｕから分岐すると共に分岐ブレーカ１４Ｃの一次側に接続される分岐線１３ｕに取り付けられる。なお、第３電流センサＣＴ３は、分岐ブレーカ１４Ｃの二次側に取り付けられてもよい。第１〜第３電流センサＣＴ１〜ＣＴ３は、本実施形態では、カレントトランスとして構成され、第１〜第３電流センサＣＴ１〜ＣＴ３により検出された信号は、第１〜第３のＣＴ計測回路４１〜４３を介して制御装置４０へ出力される。
【００２７】
制御装置４０は、図示しないが、ＣＰＵを中心としたマイクロプロセッサとして構成されており、ＣＰＵの他に、処理プログラムを記憶するＲＯＭ，ワークメモリとしてのＲＡＭ、入出力ポートなどを備える。この制御装置４０には、電圧センサ４４からの電圧（連系電圧）Ｖや、第１〜第３ＣＴ計測回路４１〜４３からの第１〜第３電流センサＣＴ１〜ＣＴ３の検出信号である電流Ｉｃｔ１〜Ｉｃｔ３などが入力ポートを介して入力されている。一方、制御装置４０からは、インバータ回路２４の図示しないスイッチング素子への駆動信号や、解列リレー２６への駆動信号、補機用駆動装置３４への制御信号などが出力ポートを介して出力されている。
【００２８】
制御装置４０は、第１および第２電流センサＣＴ１，ＣＴ２により商用電力系統１の２つの電圧線（Ｕ相２ｕ，Ｖ相２ｖ）を流れる電流を検出し、検出した電流と電圧センサ４４により検出される連系電圧Ｖとに基づいて潮流方向を監視する。そして、逆潮流（分散型電源システム２０から商用電力系統１へ向かう有効電力の流れ）が発生したと判定すると、解列リレー２６をオフして分散型電源システム２０を商用電力系統１から切り離したり、分散型電源システム２０の出力を低下させたりする。これにより、逆潮流が許容されていない分散型電源システム２０において、逆潮流を防止することができる。
【００２９】
分散型電源システム２０は、分岐ブレーカ１４Ｃの二次側の電線１５Ｃに接続されるから、当該電線１５Ｃには、商用電力系統１から分岐ブレーカ１４Ｃを介して流れる電流に分散型電源システム２０から出力される電流が加算された電流が印加される。この場合、分岐ブレーカ１４Ｃには当該分岐ブレーカ１４Ｃに定められる上限電流が流れなくても、電線１５Ｃにその上限電流を超える過電流が流れる場合が生じうる。そこで、本実施形態の分散型電源システム２０では、分散型電源システム２０が接続される分岐ブレーカ１４Ｃ（特定分岐ブレーカ）の一次側の分岐線１３ｕに第３電流センサＣＴ３を設け、第３電流センサＣＴ３からの電流と分散型電源システム２０から出力される電流との和の電流が上限電流を超えないように分散型電源システム２０の出力を制御している。
【００３０】
このように、第１および第２電流センサＣＴ１，ＣＴ２は、潮流方向の監視に用いられ、第３電流センサＣＴ３は、分岐ブレーカ１４Ｃの二次側の電流監視に用いられるため、それらの取付位置や取付方向が誤っていると、監視を正しく行なうことができない。このため、本実施形態の分散型電源システム２０は、その設置後に、取り付けられた３つの電流センサの取付位置（３つの電流センサがそれぞれ第１〜第３電流センサＣＴ１〜ＣＴ３のいずれに該当するか）とその取付方向とを判定する。
【００３１】
図２は、制御装置４０により実行されるＣＴ補正処理の一例を示すフローチャートである。このルーチンは、オペレータにより取付状態の判定が指示されたときに実行される。
【００３２】
ＣＴ補正処理が実行されると、制御装置４０のＣＰＵは、まず、商用電力系統１からの電力により補機３２が駆動されるように補機用駆動装置３４を制御する（ステップＳ１００）。なお、駆動する補機３２として例えば凍結予防ヒータを用いることができる。続いて、３つの電流センサのうちいずれか２つの電流センサに補機３２の電力消費に相当する電流変動が検出されたか否かを判定する（ステップＳ１１０）。この判定は、例えば、補機３２の消費電力が３００Ｗであり、電圧センサ４４により検出される連系電圧Ｖが１００Ｖであった場合、いずれか２つの電流センサにより３［Ａ］分の電流変動が検出されたか否かを判定するものとなる。ここで、図１に示すように、主幹ブレーカ１１の一次側のＵ相２ｕに第１電流センサＣＴ１が接続され、主幹ブレーカ１１の一次側のＶ相２ｖに第２電流センサＣＴ２が接続され、主幹ブレーカ１１の二次側のＵ相１２ｕから分岐すると共に分散型電源システム２０が接続された分岐ブレーカ１４Ｃ（特定分岐ブレーカ）の一次側に第３電流センサＣＴ３が取り付けられている場合を考える。この場合、３つの電流センサのうち２つの電流センサは、商用電力系統１のＵ相２ｕから分散型電源システム２０の補機３２に至る共通の電気経路上（Ｕ相）に位置するから、補機３２を駆動した際、２つの電流センサには補機３２の電力消費に応じた電流変動が検出される。したがって、電流変動を検出した２つの電流センサは、第１電流センサＣＴ１か第３電流センサＣＴ３かのいずれかであると判断することができる。一方、３つの電流センサのうち残りの１つの電流センサは、分散型電源システム２０が接続していない電気経路（Ｖ相）上に位置するから、補機３２を駆動しても、残りの１つの電流センサには電流変動が検出されない。したがって、電流変動を検出しなかった１つの電流センサは、第２電流センサＣＴ２であると判断することができる。
【００３３】
ステップＳ１１０において、いずれか２つの電流センサに補機３２の電力消費に相当する電流変動が検出されなかったと判定すると、３つの電流センサのいずれかが誤った位置に取り付けられていると判断し、図示しない表示器に取付異常を報知し（ステップＳ１２０）、分散型電源システム２０からの電力の供給を行なうことなく、ＣＴ補正処理を終了する。
【００３４】
ステップＳ１１０において３つの電流センサのうちいずれか２つの電流センサに補機３２の電力消費に相当する電流変動が検出されたと判定すると、該当する２つの電流センサにより検出される電流の電流差が所定値（例えば１Ａ）以上であり且つその状態が所定時間（例えば５秒）以上継続しているか否かを判定する（ステップＳ１３０）。該当する２つの電流センサからの電流に電流差がある場合は、主幹ブレーカ１１の共通のＵ相１２ｕから、分散型電源システム２０が接続されている分岐ブレーカ１４Ｃ以外に、分散型電源システム２０が接続されていない他の分岐ブレーカ１４Ａへ電力が供給されている場合が該当する。この場合、ステップＳ１３０において肯定的な判定がなされ、該当する２つの電流センサのうち検出された電流が大きい方の電流センサが第１電流センサＣＴ１であると判定すると共に検出された電流が小さい方の電流センサが第３電流センサＣＴ３であると判定する（ステップＳ１４０）。また、残りの１つの電流センサが第２電流センサＣＴ２であると判定する（ステップＳ１５０）。そして、第１電流センサＣＴ１または第３電流センサＣＴ３により検出された電流Ｉｃｔ１，Ｉｃｔ３の位相が連系電圧Ｖの位相と逆位相であるか否かを判定する（ステップＳ１６０）。電流Ｉｃｔ１，Ｉｃｔ３のいずれかの位相と連系電圧Ｖの位相とが逆位相であると判定すると、該当する電流センサは逆方向に取り付けられていると判断し、該当する電流センサにより以降に検出される電流の符号（位相）を反転させる符号反転の設定を行なう（ステップＳ１７０）。一方、電流Ｉｃｔ１，Ｉｃｔ３のいずれの位相も連系電圧Ｖの位相と同位相であると判定すると、第１電流センサＣＴ１および第３電流センサＣＴ３は、いずれも順方向に取り付けられていると判断して、ステップＳ１７０の処理をスキップする。いま、分散型電源システム２０から受電設備１０へ給電していない状況で商用電力系統１からの電力により分散型電源システム２０の補機３２を駆動している場合を考えているから、商用電力系統１から補機３２に至る電気経路上に取り付けられる第１電流センサＣＴ１および第３電流センサＣＴ３を流れる電流は必ず順潮流側となる。したがって、第１電流センサＣＴ１または第３電流センサＣＴ３を流れる電流が連系電圧Ｖと同位相であれば、該当する電流センサの取付方向は順方向であり、第１または第３電流センサＣＴ１，ＣＴ３を流れる電流が連系電圧Ｖと逆位相であれば、該当する電流センサの取付方向は逆方向であると判断することができる。
【００３５】
次に、第２電流センサＣＴ２により検出される電流Ｉｃｔ２が所定値（例えば１Ａ）以上であり且つその状態が所定時間（例えば５秒）以上継続しているか否かを判定する（ステップＳ１８０）。この場合、第２電流センサＣＴ２により電流が検出される場合は、主幹ブレーカ１１の分散型電源システム２０が接続されていない二次側のＶ相１２ｖから分岐ブレーカ１４Ｂへ電力が供給されている場合が該当する。この場合、ステップＳ１８０において肯定的な判定がなされ、第２電流センサＣＴ２により検出された電流Ｉｃｔ２の位相と電圧センサ４４により検出された連系電圧Ｖの位相とが同位相であるか否かを判定する（ステップＳ１９０）。電流Ｉｃｔ２の位相と連系電圧Ｖとの位相とが同位相であると判定すると、第２電流センサＣＴ２は逆方向に取り付けられていると判断し、第２電流センサＣＴ２により以降に検出される電流の符号（位相）を反転させる位相反転の設定を行なう（ステップＳ２００）。一方、電流Ｉｃｔ２の位相が連系電圧Ｖの位相と逆位相であると判定すると、第２電流センサＣＴ２は、順方向に取り付けられていると判断して、ステップＳ２００の処理をスキップする。ここで、商用電力系統１の２つの電圧線（Ｕ相２ｕおよびＶ相２ｖ）のうち分散型電源システム２０が連系されていない他方の電圧線（Ｖ相２ｖ）を流れる電流は必ず順潮流側となり、分散型電源システム２０が連系されている一方の電圧線（Ｕ相２ｕ）を流れる電流の位相と他方の電圧線（Ｖ相２ｖ）を流れる電流の位相は逆位相となる。したがって、第２電流センサＣＴ２を流れる電流が連系電圧Ｖと逆位相であれば、第２電流センサＣＴ２の取付方向は順方向であり、第２電流センサＣＴ２を流れる電流が連系電圧Ｖと同位相であれば、第２電流センサＣＴ２の取付方向は逆方向であると判断することができる。
【００３６】
こうして３つの電流センサ（第１〜第３電流センサＣＴ１〜ＣＴ３）についてその取付位置および取付方向の判定と取付方向に応じた符号の設定とを行なうと、解列リレー２６をオンし、第１電流センサＣＴ１からの電流Ｉｃｔ１と第２電流センサＣＴ２からの電流Ｉｃｔ２との和の電流が商用電力系統１への逆潮流が生じない範囲内となり且つ第３電流センサＣＴ３からの電流Ｉｃｔ３と分散型電源システム２０から出力される電流との和の電流が分散型電源システム２０が接続されている分岐ブレーカ１４Ｃ（特定分岐ブレーカ）に予め定められる上限電流を超えないようにインバータ回路２４を制御することにより給電制御（発電制御）を開始して（ステップＳ２１０）、ＣＴ補正処理を終了する。
【００３７】
ステップＳ１８０において、第２電流センサＣＴ２により検出される電流Ｉｃｔ２が所定値未満であると判定したり、電流Ｉｃｔ２が所定値以上であってもその状態が所定時間以上継続していないと判定すると、解列リレー２６をオンし、第１電流センサＣＴ１からの電流Ｉｃｔ１が商用電力系統１への逆潮流が生じない範囲内となり且つ第３電流センサＣＴ３からの電流Ｉｃｔ３と分散型電源システム２０から出力される電流との和の電流が分散型電源システム２０が接続されている分岐ブレーカ１４Ｃ（特定分岐ブレーカ）の上限電流を超えないようにインバータ回路２４を制御することにより給電制御を実行（開始）する（ステップＳ２２０）。そして、第２電流センサＣＴ２からの電流Ｉｃｔ２が略値０である状態が所定期間（例えば３日）以上継続しているか否かを判定する（ステップＳ２３０）。第２電流センサＣＴ２からの電流Ｉｃｔ２が略値０でないと判定したり、電流Ｉｃｔ２が略値０であってもその状態が所定期間以上継続していないと判定すると、ステップＳ１８０に戻って処理を繰り返す。ステップＳ１８０において第２電流センサＣＴ２からの電流Ｉｃｔ２が所定値以上であり且つその状態が所定時間以上継続していると判定すると、ステップＳ１９０に進み、第２電流センサＣＴ２の取付方向の判定とその取付方向に応じた符号の設定とを行なうと共に、第１〜第３電流センサＣＴ１〜ＣＴ３からの電流Ｉｃｔ１〜Ｉｃｔ３に基づくステップＳ２１０の給電制御を開始して、ＣＴ補正処理を終了する。
【００３８】
ステップＳ２３０において、第２電流センサＣＴ２からの電流Ｉｃｔ２が略値０である状態が所定期間以上継続していると判定すると、分散型電源システム２０の発電を停止し（ステップＳ２４０）、現在の状況が第２電流センサＣＴ２の取付方向を判定できない状況であるか第２電流センサＣＴ２に断線が生じていると判断し、表示器に異常報知を行なって（ステップＳ２５０）、ＣＴ補正処理を終了する。例えば、新築の住宅に分散型電源システム２０を設置する等、人が住んでおらず、商用電力系統１への家庭内負荷の接続がない場合、分散型電源システム２０が連系していない他方の電圧線（Ｖ相）には電流が流れず、当該他方の電圧線に取り付けられた第２電流センサＣＴ２の取付方向を判定することができない。この場合、ステップＳ２３０において肯定的な判定がなされ、発電を停止すると共に異常報知を行なう。
【００３９】
ステップＳ１３０において、該当する２つの電流センサにより検出される電流の電流差が所定値未満であると判定したり、電流差が所定値以上であってもその状態が所定時間以上継続していないと判定すると、該当する２つの電流センサのうち一方の電流センサを仮第１電流センサＣＴ１ｔｍｐであると判定すると共に他方の電流センサを仮第３電流センサＣＴ３ｔｍｐであると判定する（ステップＳ２６０）。この仮判定は、例えば、第１〜第３のＣＴ計測回路４１〜４３のうち番号が小さい方に接続された電流センサを仮第１電流センサＣＴ１ｔｍｐであると判定すると共に番号が大きい方に接続された電流センサを仮第３電流センサＣＴ３ｔｍｐであると判定することにより行なうことができる。また、残りの１つの電流センサが第２電流センサＣＴ２であると判定する（ステップＳ２７０）。 そして、仮第１電流センサＣＴ１ｔｍｐまたは仮第３電流センサＣＴ３ｔｍｐにより検出された電流の位相が連系電圧Ｖの位相と逆位相であるか否かを判定する（ステップＳ２８０）。各電流のいずれかの位相と連系電圧Ｖの位相とが逆位相であると判定すると、該当する電流センサは逆方向に取り付けられていると判断し、該当する電流センサにより以降に検出される電流の符号（位相）を反転させる符号反転の設定を行なう（ステップＳ２９０）。一方、各電流のいずれの位相も連系電圧Ｖの位相と同位相であると判定すると、仮第１電流センサＣＴ１ｔｍｐおよび仮第３電流センサＣＴ３ｔｍｐは、いずれも順方向に取り付けられていると判断して、ステップＳ２９０の処理をスキップする。
【００４０】
次に、第２電流センサＣＴ２により検出される電流Ｉｃｔ２が所定値（例えば１Ａ）以上であり且つその状態が所定時間（例えば５秒）以上継続しているか否かを判定する（ステップＳ３００）。第２電流センサＣＴ２からの電流Ｉｃｔ２が所定値以上であり且つその状態が所定時間以上継続していると判定すると、その電流Ｉｃｔ２の位相と電圧センサ４４により検出された連系電圧Ｖの位相とが同位相であるか否かを判定する（ステップＳ３１０）。電流Ｉｃｔ２の位相と連系電圧Ｖとの位相とが同位相であると判定すると、第２電流センサＣＴ２は逆方向に取り付けられていると判断し、第２電流センサＣＴ２により以降に検出される電流の符号（位相）を反転させる位相反転の設定を行なう（ステップＳ３２０）。一方、電流Ｉｃｔ２の位相が連系電圧Ｖの位相と逆位相であると判定すると、第２電流センサＣＴ２は、順方向に取り付けられていると判断して、ステップＳ３２０の処理をスキップする。
【００４１】
そして、解列リレー２６をオンし、仮第１電流センサＣＴ１ｔｍｐからの電流と第２電流センサＣＴ２からの電流Ｉｃｔ２との和の電流が商用電力系統１への逆潮流が生じない範囲内となり且つ仮第３電流センサＣＴ３ｔｍｐからの電流と分散型電源システム２０から出力される電流との和の電流が上限電流を超えないようにインバータ回路２４を制御する給電制御（発電制御）を実行（開始）する（ステップＳ３３０）。給電制御を開始すると、仮第１電流センサＣＴ１ｔｍｐおよび仮第３電流センサＣＴ３ｔｍｐによりそれぞれ検出される電流の電流差が所定値（例えば１Ａ）以上であり且つその状態が所定時間（例えば５秒）以上継続するまで待つ（ステップＳ３４０）。仮第１電流センサＣＴ１ｔｍｐおよび仮第３電流センサＣＴ３ｔｍｐからの電流の電流差が所定値以上であり且つその状態が所定時間以上継続したと判定すると、検出された電流が大きい方の電流センサが第１電流センサＣＴ１であると判定すると共に検出された電流が小さい方の電流センサが第３電流センサＣＴ３であると判定する（ステップＳ３５０）。なお、第１電流センサＣＴ１および第３電流センサＣＴ３の取付方向は上述したステップＳ２８０，Ｓ２９０で判定済みであるから、第１〜第３電流センサＣＴ１〜ＣＴ３からの電流Ｉｃｔ１〜Ｉｃｔ３に基づくステップＳ２１０の給電制御を開始して、ＣＴ補正処理を終了する。
【００４２】
ステップＳ３００において、第２電流センサＣＴ２により検出される電流Ｉｃｔ２が所定値未満であると判定したり、電流Ｉｃｔ２が所定値以上であってもその状態が所定時間以上継続していないと判定すると、解列リレー２６をオンし、仮第１電流センサＣＴ１ｔｍｐからの電流が商用電力系統１への逆潮流が生じない範囲内となり且つ仮第３電流センサＣＴ３ｔｍｐからの電流Ｉｃｔ３と分散型電源システム２０から出力される電流との和の電流が上限電流を超えないように給電制御を実行（開始）する（ステップＳ３６０）。そして、第２電流センサＣＴ２からの電流Ｉｃｔ２が略値０である状態が所定期間（例えば３日）以上継続しているか否かを判定する（ステップＳ３７０）。第２電流センサＣＴ２からの電流Ｉｃｔ２が略値０でないと判定したり、電流Ｉｃｔ２が略値０であってもその状態が所定期間以上継続していないと判定すると、ステップＳ３００に戻って処理を繰り返す。ステップＳ３００において第２電流センサＣＴ２からの電流Ｉｃｔ２が所定値以上であり且つその状態が所定時間以上継続していると判定すると、ステップＳ３１０に進み、第２電流センサＣＴ２の取付方向の判定とその取付方向に応じた符号の設定とを行なうと共に、仮第１電流センサＣＴ１ｔｍｐと第２電流センサＣＴ２と仮第３電流センサＣＴ３ｔｍｐからの電流に基づくステップＳ３３０の給電制御を開始する。そして、仮第１電流センサＣＴ１ｔｍｐおよび仮第３電流センサＣＴ３ｔｍｐからの電流の電流差が所定値以上であり且つその状態が所定時間以上継続するのを待って、検出された電流が大きい方の電流センサが第１電流センサＣＴ１であると判定すると共に検出された電流が小さい方の電流センサが第３電流センサＣＴ３であると判定し（ステップＳ３４０，Ｓ３５０）、第１〜第３電流センサＣＴ１〜ＣＴ３からの電流Ｉｃｔ１〜Ｉｃｔ３に基づくステップＳ２１０の給電制御を開始してＣＴ補正処理を終了する。
【００４３】
ステップＳ３７０において、第２電流センサＣＴ２からの電流Ｉｃｔ２が略値０である状態が所定期間以上継続していると判定すると、分散型電源システム２０の発電を停止し（ステップＳ３８０）、異常報知を行なって（ステップＳ３９０）、ＣＴ補正処理を終了する。
【００４４】
ここで、上述したように、商用電力系統１からの電力を用いて分岐ブレーカ１４Ｃ（特定分岐ブレーカ）の二次側に接続された分散型電源システム２０の補機３２を駆動する場合、２つの電流センサにより補機３２の電力消費に応じた電流変動が検出されるから、その２つの電流センサは、第１電流センサＣＴ１か第３電流センサＣＴ３のいずれかであると判定することができる。しかし、主幹ブレーカ１１の分散型電源システム２０が接続される分岐ブレーカ１４Ｃ（特定分岐ブレーカ）と共通の二次側端子から分岐する他の分岐ブレーカ１４Ａに家庭負荷Ａが接続されていない場合には、２つの電流センサにより検出される電流は互いに一致するため、この場合、２つの電流センサがそれぞれ第１電流センサＣＴ１であるか第３電流センサＣＴ３であるかを区別することができない。本実施形態では、２つの電流センサが第１電流センサＣＴ１か第３電流センサＣＴ３のいずれかであることが判明した場合には、両者を区別できなくても、一方の電流センサを仮第１電流センサＣＴ１ｔｍｐと仮判定すると共に他方の電流センサを仮第３電流センサＣＴ３ｔｍｐと仮判定した上で、分散型電源システム２０の給電制御を開始する。この場合、仮第１電流センサＣＴ１ｔｍｐが実際には第３電流センサＣＴ３であり仮第３電流センサＣＴ３ｔｍｐが実際には第１電流センサＣＴ１であった場合には、分散型電源システム２０の出力は通常時よりも制限されるが、分散型電源システム２０を早期に稼働させることができ、商用電力系統１への逆潮流を抑制すると共に分散型電源システム２０が接続されている分岐ブレーカ１４Ｃの二次側に当該分岐ブレーカ１４Ｃに定められる上限電流を超える電流が流れるのを抑制することができる。
【００４５】
以上説明した実施形態の分散型電源システム２０では、主幹ブレーカ１１の一次側の電圧線（Ｕ相２ｕおよびＶ相２ｖ）のうち分散型電源システム２０が接続されている一方の相に流れる電流を検出する第１電流センサＣＴ１と、主幹ブレーカ１１の一次側の電圧線のうち分散型電源システム２０が接続されていない他方の相に流れる電流を検出する第２電流センサＣＴ２と、特定分岐ブレーカ（分岐ブレーカ１４Ｃ）に流れる電流を検出する第３電流センサＣＴ３のいずれかとして機能するように取り付けられる３つの電流センサを備える。そして、補機３２を駆動制御した状態で３つの電流センサのうち２つの電流センサに補機３２の電力消費に応じた電流変動が検出された場合、２つの電流センサによりそれぞれ検出された電流値の偏差が所定値以上のときには、電流値が大きい方の電流センサが第１電流センサＣＴ１であると判定すると共に電流値が小さい方の電流センサが第３電流センサＣＴ３であると判定する。更に、第１電流センサＣＴ１または第２電流センサＣＴ２により検出された電流が電圧センサ４４により検出された連系電圧Ｖと逆位相であるときには該当する電流センサにより以降に検出される電流の位相を反転させる。また、３つの電流センサのうち残りの１つの電流センサが第２電流センサＣＴ２であると判定し、更に第２電流センサＣＴ２により電流が検出され且つその検出された電流が連系電圧Ｖと同位相であるときには第２電流センサＣＴ２により以降に検出される電流の位相を反転させる。そして、第１電流センサＣＴ１と第２電流センサＣＴ２とによりそれぞれ検出される電流との和の電流が商用電力系統１への逆潮流が発生しない範囲内となるように且つ第３電流センサＣＴ３により検出される電流とインバータ回路２４から出力される電流との和の電流が所定の上限電流を超えないように給電制御を行なう。これにより、３つの電流センサの取付状態（取付位置および取付方向）を適切に判定してこれに対応することができ、分散型電源システム２０の給電制御を適切に行なうことができる。
【００４６】
また、実施形態の分散型電源システム２０では、残りの１つの電流センサが第２電流センサＣＴ２であると判定した際に第２電流センサＣＴ２により電流が検出されなかったときには、第２電流センサＣＴ２により電流が検出されるまでの間、第１電流センサＣＴ１により検出される電流が商用電力系統１への逆潮流が発生しない範囲内となるように且つ第３電流センサＣＴ３により検出される電流とインバータ回路２４から出力される電流との和の電流が所定の上限電流を超えないように給電制御を行なう。これにより、第２電流センサＣＴ２の取付方向を判定できない状況においても、分散型電源システム２０を早期に稼働することができ、商用電力系統１への逆潮流を防止すると共に分散型電源システム２０が接続される分岐ブレーカ１４Ｃ（特定分岐ブレーカ）の二次側に上限電流を超える電流が流れるのを防止することができる。
【００４７】
また、実施形態の分散型電源システム２０では、補機３２を駆動制御した状態で３つの電流センサのうち２つの電流センサに補機３２の電力消費に応じた電流変動が検出された場合、２つの電流センサによりそれぞれ検出された電流値の偏差が所定値未満のときには、３つの電流センサのうち残りの１つの電流センサが第２電流センサＣＴ２であると判定し、第２電流センサＣＴ２により電流が検出され且つその電流が連系電圧Ｖと同位相であるときには更に第２電流センサＣＴ２により以降に検出される電流の位相を反転させる。そして、上記２つの電流センサのうち一方の電流センサ（仮第１電流センサＣＴ１ｔｍｐ）と第２電流センサＣＴ２とによりそれぞれ検出される電流の和が商用電力系統１への逆潮流が発生しない範囲内となるように且つ２つの電流センサのうち他方の電流センサ（仮第３電流センサＣＴ３ｔｍｐ）により検出される電流とインバータ回路２４から出力される電流との和の電流が上限電流を超えないように給電制御を行なう。これにより、２つの電流センサが第１電流センサＣＴ１および第３電流センサＣＴ３のいずれかであることは判明したが、両者を区別することができない状況においても、分散型電源システム２０を早期に稼働することができ、商用電力系統１への逆潮流を防止すると共に分散型電源システム２０が接続された分岐ブレーカ１４Ｃ（特定分岐ブレーカ）の二次側に上限電流を超える電流が流れるのを防止することができる。
【００４８】
この場合、残りの１つの電流センサが第２電流センサＣＴ２であると判定した際に第２電流センサＣＴ２により電流が検出されなかったときには、第２電流センサＣＴ２により電流が検出されるまでの間、２つの電流センサのうち一方の電流センサ（仮第１電流センサＣＴ１ｔｍｐ）により検出される電流が商用電力系統１への逆潮流が発生しない範囲内となるように且つ２つの電流センサのうち他方の電流センサ（仮第３電流センサＣＴ３ｔｍｐ）により検出される電流とインバータ回路２４から出力される電流との和の電流が所定の上限電流を超えないように給電制御を行なう。これにより、第２電流センサＣＴ２の取付方向を判定できない状況においても、分散型電源システム２０を早期に稼働することができ、商用電力系統１への逆潮流を防止すると共に分散型電源システム２０が接続された分岐ブレーカ１４Ｃ（特定分岐ブレーカ）の二次側に上限電流を超える電流が流れるのを防止することができる。
【００４９】
さらに、補機３２を駆動制御した状態で３つの電流センサのうち２つの電流センサに補機３２の電力消費に応じた電流変動が生じなかった場合には、エラーを出力するものとしてもよい。これにより、２つの電流センサのいずれかがＮ相に取り付けられているか故障していることを作業者に報知することができる。
【００５０】
上述した実施形態では、３つの電流センサが第１〜第３電流センサＣＴ１〜ＣＴ３のいずれであるかを判定して給電制御を行なうものとしたが、例えば３つの電流センサの検出電流容量が異なる場合などには、３つの電流センサのいずれかが本来とは異なる取付位置に取り付けれていると判定すると、給電制御を行なうことなく取付異常を報知してもよい。
【００５１】
上述した実施形態では、分散型電源システム２０の補機３２として、凍結予防ヒータを駆動することによりその電力消費に応じた電流変動が２つの電流センサにより検出されるか否かを判定するものとしたが、これに限られず、電力を消費する電気機器であれば、如何なる補機を駆動するものとしてもよい。但し、使用する補機は、消費電力が少なくとも数１０Ｗ以上の電気機器が望ましい。
【００５２】
実施形態の主要な要素と課題を解決するための手段の欄に記載した発明の主要な要素との対応関係について説明する。実施形態では、主幹ブレーカ１１が「主幹ブレーカ」に相当し、分岐ブレーカ１４Ａ〜１４Ｃが「分岐ブレーカ」に相当し、受電設備１０が「受電設備」に相当し、分散型電源２２が「分散型電源」に相当し、分岐ブレーカ１４Ｃが「特定分岐ブレーカ」に相当し、インバータ回路２４が「電力変換装置」に相当し、補機３２が「補機」に相当し、第１〜第３電流センサＣＴ１〜ＣＴ３が「３つの電流センサ」に相当し、電圧センサ４４が「電圧センサ」に相当し、制御装置４０が「制御装置」に相当する。
【００５３】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００５４】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００５５】
本発明は、分散型電源システムの製造産業などに利用可能である。
【符号の説明】
【００５６】
１  商用電力系統、２ｕ  Ｕ相、２ｖ  Ｖ相、２ｎ  Ｎ相、１０  受電設備、１１  主幹ブレーカ、１２ｕ  Ｕ相、１２ｖ  Ｖ相、１２ｎ  Ｎ相、１３Ｃ  分岐線、１４Ａ〜１４Ｃ  分岐ブレーカ、１５Ａ〜１５Ｃ  電線、１６  屋外コンセント、１７  配線、２０  分散型電源システム、２２  分散型電源、２４  インバータ回路、２５  電力ライン、２６  解列リレー、２８  給電コンセント、３２  補機、３４  補機用駆動装置、４０  制御装置、４１  第１ＣＴ計測回路、４２  第２ＣＴ計測回路、４３  第３ＣＴ計測回路、４４  電圧センサ、ＣＴ１  第１電流センサ、ＣＴ２  第２電流センサ、ＣＴ３  第３電流センサ。
【図１】
2020162342.tif 000003
【図２】
2020162342.tif 000004
【図３】
2020162342.tif 000005